(57)【要約】【課題】内燃エンジンを潤滑するための改良された装置を実現する。【解決手段】本発明は少なくとも１つのコンロッド(12)に連結されたクランクシャフト(10)を有する内燃エンジンを潤滑するための装置(36)に関する。装置(36)は、供給されて来る潤滑流体流の潤滑流体流量を減少させるための少なくとも１つの第１の流量制限装置(57)、特にスロットルを有する。装置(36)は、クランクシャフト(10)を回転可能に支持する複数のクランクシャフト・ベアリング(52)を有し、これらベアリングは少なくとも１つの第１の流量制限装置(57)の下流に流体連通するように設けられる。装置(36)は、少なくとも１つのコンロッド(12)を回転可能に支持する少なくとも１つのコンロッド大端部ベアリング(54)を有し、このベアリング(54)は複数のクランクシャフト・ベアリング(52)の中の少なくとも１つのクランクシャフト・ベアリング(52)の下流に流体連通するように設けられる。【選択図】図３
2019027597.tif 000002
【特許請求の範囲】
【請求項１】
少なくとも１つのコネクティングロッド（１２）に連結されたクランクシャフト（１０）を有する内燃エンジンを潤滑するための装置（３６）であって、
供給されて来る潤滑流体流の潤滑流体流量を減少させるための少なくとも１つの第１の流量制限装置（５７）、特にスロットルと、
前記クランクシャフト（１０）を回転可能に支持する複数のクランクシャフト・ベアリング（５２）であって、前記少なくとも１つの第１の流量制限装置の下流に流体連通するように設けられた複数のクランクシャフト・ベアリング（５２）と、
前記少なくとも１つのコネクティングロッド（１２）を回転可能に支持する少なくとも１つのコネクティングロッド大端部ベアリング（５４）であって、前記複数のクランクシャフト・ベアリング（５２）の中の少なくとも１つのクランクシャフト・ベアリング（５２）の下流に流体連通するように設けられた少なくとも１つのコネクティングロッド大端部ベアリング（５４）と、
を含む装置。
【請求項２】
さらに、前記複数のクランクシャフト・ベアリング（５２）の上流に流体連通するように設けられた潤滑流体分配チャネル（５６）、特にクランクシャフト・ベアリング・ギャラリと、
前記潤滑流体分配チャネル（５６）の下流におよび前記複数のクランクシャフト・ベアリング（５２）の中の１つのクランクシャフト・ベアリング（５２）の上流に流体連通するようにそれぞれ設けられた複数の潤滑流体供給チャネル（５８）と、
を含む、請求項１に記載の装置（３６）。
【請求項３】
前記少なくとも１つの第１の流量制限装置（５７）は、前記潤滑流体分配チャネル（５６）の上流に流体連通するように、および／または前記潤滑流体分配チャネル（５６）に、設けられるものである、請求項２に記載の装置（３６）。
【請求項４】
前記複数の潤滑流体供給チャネル（５８）の各々に１つの第１の流量制限装置（５７）が配置される、請求項２または３に記載の装置（３６）。
【請求項５】
前記少なくとも１つのコネクティングロッド大端部ベアリング（５４）が、前記クランクシャフト（１０）の回転位置に関係なく、前記複数のクランクシャフト・ベアリング（５２）の中の前記少なくとも１つのクランクシャフト・ベアリング（５２）を介して前記少なくとも１つの第１の流量制限装置（５７）と実質的に連続的に流体連通するように設けられる、請求項１乃至５のいずれかに記載の装置（３６）。
【請求項６】
前記クランクシャフト（１０）における複数の潤滑流体チャネル（６２）、特に複数の潤滑流体孔、および前記複数のクランクシャフト・ベアリング（５２）のベアリング・シェルにおける潤滑流体ベアリング溝（６０）は、前記少なくとも１つのコネクティングロッド大端部ベアリング（５４）と実質的に連続的な流体連通が形成されるような形態で設計されるものである、請求項５に記載の装置。
【請求項７】
前記少なくとも１つのコネクティングロッド大端部ベアリング（５４）は、前記クランクシャフト（１０）に設けられた少なくとも１つのクランクシャフト潤滑流体チャネル（６２）を介して前記複数のクランクシャフト・ベアリング（５２）の中の前記少なくとも１つのクランクシャフト・ベアリング（５２）と流体連通するように設けられ、
前記少なくとも１つのクランクシャフト潤滑流体チャネル（６２）は、前記クランクシャフト（１０）のクランクシャフト・ベアリング・ジャーナル（１４）の外周面に開口する少なくとも２つの互いに離間した入口開口部を有するものである、
請求項１乃至６のいずれかに記載の装置（３６）。
【請求項８】
前記少なくとも１つのクランクシャフト潤滑流体チャネル（６２）は、クランクシャフト・ベアリング・ジャーナル（１４）に貫通孔を有し、および／または
前記複数のクランクシャフト・ベアリング（５２）は、少なくとも１８０°の角度範囲にわたって伸びる潤滑流体ベアリング溝（６０）を有するものである、
請求項７に記載の装置（３６）。
【請求項９】
さらに、前記少なくとも１つのコネクティングロッド大端部ベアリング（５２）の中の１つのコネクティングロッド大端部ベアリング（５２）の下流に、特にコネクティングロッド長手方向チャネル（６３）を介して、流体連通するように設けられた少なくとも１つのコネクティングロッド小端部ベアリング（６５）を有する、請求項１乃至８のいずれかに記載の装置（３６）。
【請求項１０】
さらに、前記内燃エンジンのギア・トレイン（４６）の歯車を回転可能に支持するための少なくとも１つのギア・トレイン・ベアリング（６４）を含み、
特に、前記少なくとも1つのギア・トレイン・ベアリング（６４）は、前記潤滑流体分配チャネル（５６）および／または前記少なくとも１つの第１の流量制限装置（５７）の下流に流体連通するように設けられるものである、
請求項１乃至９のいずれかに記載の装置（３６）。
【請求項１１】
カムシャフト（２２）を回転可能に支持するための複数のカムシャフト・ベアリング（７２）、および／または
複数のカム・フォロワ（２８）を回転可能に支持するための複数のカムフォロワ・ベアリング（７４）、および／または
前記内燃エンジンの複数のロッカ・アーム（２４）上の複数のボール・ジョイント・フット部（３４）、および／または
前記少なくとも１つのコネクティングロッド（１２）に連結されている前記内燃エンジンの少なくとも１つのピストン（１８）に潤滑流体を噴射するための少なくとも１つのピストン冷却ノズル（６６）
を含む、請求項１乃至１０のいずれかに記載の装置（３６）。
【請求項１２】
さらに、前記複数のクランクシャフト・ベアリング（５２）の、前記複数のカムフォロワ・ベアリング（７４）の、および／または前記複数のボール・ジョイント・フット部（３４）の上流に流体連通するように設けられた少なくとも１つの第２の流量制限装置（７０）、特にスロットル、を含む、請求項１１に記載の装置（３６）。
【請求項１３】
さらに、前記少なくとも１つの第１の流量制限装置（５７）の上流に流体連通するように設けられた潤滑流体ポンプ（３８）を含み、
特に、前記少なくとも１つの第２の流量制限装置（７０）、前記少なくとも１つのギア・トレイン・ベアリング（６４）、前記複数のカムシャフト・ベアリング（７２）、前記複数のカムフォロワ・ベアリング（７４）、前記複数のボール・ジョイント・フット部（３４）、および／または前記少なくとも１つのピストン冷却ノズル（６６）は、前記潤滑流体ポンプ（３８）の下流に流体連通するように設けられるものである、
請求項１乃至１２のいずれかに記載の装置（３６）。
【請求項１４】
前記少なくとも１つのコネクティングロッド大端部ベアリング（５４）および／または前記複数のクランクシャフト・ベアリング（５２）は、滑り軸受として設計されているものである、請求項１乃至１３のいずれかに記載の装置（３６）。
【請求項１５】
請求項１乃至１４のいずれかに記載の装置（３６）を有する自動車、特にユティリティ・ビークル。
【発明の詳細な説明】
【技術分野】
【０００１】
本発明は、内燃エンジンを潤滑するための装置、特に内燃エンジンのクランクシャフト・ベアリング（軸受）（Kurbelwellenlagern）およびコネクティングロッド（コンロッド）大端部ベアリング（Pleuelfusslagern：コネクティングロッド足部ベアリング）を潤滑するための装置に関する。
【背景技術】
【０００２】
内燃エンジン（機関）の潤滑油回路は、例えば独国特許出願公開第１０２００７０５８７５６号で公知である。ここで、第１の油（オイル）流路に少なくとも１つの第１の調整手段を設け、それ（手段）によってその第１の油流路を介して第１の給油部材（Oelabgabeorga）に供給される潤滑油の体積量に影響を与えることができると、想定される。
【０００３】
独国特許出願公開第１０２０１４１０５２３６号には、内燃エンジンのクランクケース内の複数のベアリング位置に潤滑油を供給するための潤滑装置が開示されている。その潤滑装置は分配流路を有し、この分配流路は、潤滑油用の少なくとも１つの弁入口と、供給対象の各ベアリング位置（Lagerstelle）用の少なくとも１つの供給流路とを有し、それ（供給流路）は、分配流路から分岐しており、少なくとも１つの供給出口を有する。
【０００４】
現在のエンジンでは、潤滑流体の体積量の約２５〜３５％が、クランクシャフト・ベアリングと、クランクシャフトにおけるコネクティングロッド大端部ベアリングとに通される。両ベアリング中を通る流れ（流量）は、クリアランス公差、直径、ベアリング幅、潤滑流体圧力および潤滑流体温度に依存する。直径およびベアリング幅は、設置空間および強度に関連する理由で一般的に予め決められ、変更することはできない。低い潤滑流体温度では、両ベアリングを通る流量を減少させることができる。しかし、これは、内燃エンジンにおける摩擦の望ましい最小化に反し、それ（摩擦）は油（オイル）温度の上昇と共に減少する。潤滑流体圧力が上昇すると、両ベアリング中を通る流れ（流量）も上昇する。この関係はほぼまたは実質的に線形である。
【先行技術文献】
【特許文献】
【０００５】
【特許文献１】独国特許出願公開第１０２００７０５８７５６号
【特許文献２】独国特許出願公開第１０２０１４１０５２３６号
【発明の開示】
【０００６】
本発明の基礎的な目的は、特により少ない潤滑流体を必要とする、内燃エンジンを潤滑するための改良された装置を実現することであり、それによって、例えば、より小さい設計の潤滑流体ポンプを使用することが可能になる。
【０００７】
発明の概要
その目的は、独立請求項に記載の装置によって達成される。有利な展開形態は、従属請求項および説明に記載されている。
【０００８】
その装置（デバイス）は、少なくとも１つのコネクティングロッド（Pleuel：コンロッド、連接棒）に連結されたクランクシャフトを有する内燃エンジンを潤滑するのに適している。その装置は、当該少なくとも１つの第１の流量制限装置に供給されて来る（geleiteten、passed to：に送られて来る、に通される）潤滑流体流（stream）の潤滑流体流量（flow rate：流速、流率）を減少させるための少なくとも１つの第１の流量制限装置（flow rate limiter、Durchflussmengenbegrenzer）、特にスロットルまたは制限器（throttle、restrictor、Drossel）、を有する。その装置（デバイス）は、クランクシャフトを回転可能に支持するための複数のクランクシャフト・ベアリングを有する。複数のクランクシャフト・ベアリングは、少なくとも１つの第１の流量制限装置の下流に流体連通するように設けられる。その装置は、少なくとも１つのコネクティングロッドを回転可能に支持するための少なくとも１つのコネクティングロッド大端部ベアリングを有する。少なくとも１つのコネクティングロッド大端部ベアリングは、複数のクランクシャフト・ベアリングの中の少なくとも１つのクランクシャフト・ベアリングの下流に流体連通するように設けられる。
【０００９】
少なくとも１つの第１の流量制限装置は、クランクシャフト・ベアリングおよび少なくとも１つのコネクティングロッド大端部ベアリングに通される（に供給される）潤滑流体の体積量を選択的に減少させる。それらのベアリングでは、潤滑流体は（次の）２つの主な仕事を行う。一方では、潤滑流体によって、純粋に流体力学的な摩擦が確保され、他方では、潤滑流体は、ベアリング摩擦によって形成された熱を放散（放出）する。流体力学的クリアランス・フィルム（隙間膜）の厚さは油圧の関数ではない、と認識されている。その代わりに、潤滑膜の厚さは、潤滑流体の粘度と、ベアリングにおける表面圧力とに、決定的に（大きく）依存する。従って、例えばユティリティ・ビークル（Nuzfarzeug：商用車）の場合に最大で約２ｋｇ／分までのように、小さいベアリング流量でも、ベアリング摩擦に起因する熱を放散するのに充分である。従って、少なくとも１つの第１の流量制限装置による潤滑流体の体積量の選択的な低減によって、純粋に流体力学的な摩擦の形成も、熱放散も、損なわれることはない。潤滑流体の体積量／潤滑流体圧力の選択的な低減によって、内燃エンジンを潤滑するのに必要な全体的な潤滑流体流量を減少させることができる。従って、より小さい設計の潤滑流体ポンプを使用することができ、例えば、潤滑流体ポンプ用の駆動力を低減することができる。
【００１０】
特に、クランクシャフト・ベアリングは、クランクシャフトのクランクシャフト・ベアリング・ジャーナル（zapfen：軸頸）上に配置することができ、少なくとも１つのコネクティングロッド大端部ベアリングは、クランクシャフトの少なくとも１つのコネクティングロッド大端部ベアリング・ジャーナル上に配置することができる。
【００１１】
例示的な一実施形態において、その装置（潤滑する装置）は、複数のクランクシャフト・ベアリングの上流に流体連通するように設けられた潤滑流体分配チャネル（流路）を有する。特に、潤滑流体分配チャネルは、クランクシャフト・ベアリング・ギャラリ（galerie：回廊）として設計することができる。さらに、その装置は、複数の潤滑流体供給チャネルを有することができ、それ（チャネル）は、それぞれ、潤滑流体分配チャネルの下流に、および複数のクランクシャフト・ベアリングの中の１つのクランクシャフト・ベアリングの上流に、流体連通するように、設けられる。潤滑流体分配チャネルおよび潤滑流体供給チャネルを介して、第１の流量制限装置からクランクシャフト・ベアリングに潤滑流体を供給することができる。
【００１２】
展開形態において、少なくとも１つの第１の流量制限装置は、潤滑流体分配チャネルの上流に流体連通するように、および／または潤滑流体分配チャネルに、設けられる。この種の実施形態では、可能性として、特に、単一の流量制限装置のみが必要とされ、その配置によって、全てのクランクシャフト・ベアリングおよびコネクティングロッド大端部ベアリングの潤滑流体の体積量が減少する。
【００１３】
特に、少なくとも１つの第１の流量制限装置は、クランクシャフト・ベアリング・ギャラリに一体化することができる。
【００１４】
別の例示的な実施形態において、１つの第１の流量制限装置が、複数の潤滑流体供給チャネルのそれぞれに配置される。従って、各潤滑流体供給チャネルに１つの流量制限装置が必要である。これは、例えば、内燃エンジンの整備期間中でのアクセスを改善するために有利であり得る。
【００１５】
特に好ましい変形実施形態において、少なくとも１つのコネクティングロッド大端部ベアリングは、クランクシャフトの回転位置に関係なく、複数のクランクシャフト・ベアリングの中の少なくとも１つのクランクシャフト・ベアリングを介して、少なくとも１つの第１の流量制限装置と実質的に連続的に流体連通するように設けられる。それによって、低いまたは少ない潤滑流体流量であっても、確実に、コネクティングロッド大端部ベアリングを充分に潤滑することができる。高速のエンジン速度での加圧潤滑流体の不連続供給の問題は、コネクティングロッド・ベアリング・ボア（孔）におけるキャビテーションまたは空洞現象（cavitation）にある。ここで、潤滑流体は、遠心力に起因して気化（蒸発）し得る。結果的に生じる蒸気の気泡はゆっくりと爆発を形成し、その蒸気の気泡によって、コネクティングロッド大端部ベアリングへの潤滑流体の流れが確実に制限される。持続的または連続的な流体連通で、キャビテーションの危険性を大幅に低減することができる。
【００１６】
１つの変形実施形態において、クランクシャフトにおける複数の潤滑流体チャネル、特に複数の潤滑流体孔（ボア）、および複数のクランクシャフト・ベアリングの複数のベアリング・シェル（軸受胴）における複数の潤滑流体ベアリング溝（grooves）は、少なくとも１つのコネクティングロッド大端部ベアリングと実質的な流体連通が形成される形態で、設計される。
【００１７】
別の変形実施形態において、少なくとも１つのコネクティングロッド大端部ベアリングは、クランクシャフトに設けられた少なくとも１つのクランクシャフト潤滑流体チャネルを介して、複数のクランクシャフト・ベアリングの中の少なくとも１つのクランクシャフト・ベアリングと流体連通するように設けられる。例えば、クランクシャフト潤滑流体チャネルは、クランクシャフトに複数の相互接続された孔を含むことができる。
【００１８】
展開形態において、少なくとも１つのクランクシャフト潤滑流体チャネルは、クランクシャフトのクランクシャフト・ベアリング・ジャーナルの外周面に開口する少なくとも２つの互いに離間した入口開口部を有する。それとは対照的に、既知のクランクシャフト潤滑流体チャネルは、クランクシャフト・ベアリング・ジャーナルの領域に唯一のボアまたは孔（ブラインド・ホール（Sacklochbohrung））を有し、この場合、クランクシャフトの回転位置に応じて、コネクティングロッド大端部ベアリングとの連続的な流体連通ができない（許容されない）。
【００１９】
特に、複数の入口開口部は、特にクランクシャフト・ベアリングの潤滑流体ベアリング溝の形成との組合せで、少なくとも１つのコネクティングロッド大端部ベアリングと実質的に連続的な流体連通が得られる形態で、配置することができる。
【００２０】
好ましい変形実施形態において、少なくとも１つのクランクシャフト・ベアリング流体チャネルは、クランクシャフト・ベアリング・ジャーナルに貫通孔を有する。その貫通孔は、例えば、クランクシャフトの長手方向軸に対して実質的に垂直に伸びることができる。その貫通孔は製造が容易であり、その貫通孔によって、クランクシャフト潤滑流体チャネル用の２つの入口開口部が形成され、従って少なくとも１つのコネクティングロッド（大端部）ベアリングとの連続的な流体連通が形成できる。
【００２１】
一実施形態において、複数のクランクシャフト・ベアリングの各々は、少なくとも１８０°の角度範囲にわたって伸びる潤滑流体ベアリング溝を有する。コネクティングロッド（大端部）ベアリングに流体連通するクランクシャフト潤滑流体チャネルの対応して配置された複数の入口開口部との組合せることによって、連続的な流体連通を有効化することが可能である。
【００２２】
別の例示的な実施形態において、その装置は、さらに、少なくとも１つのコネクティングロッド大端部ベアリングの中の１つのコネクティングロッド大端部ベアリングの下流に、特にコネクティングロッド長手方向チャネル（例えば、コネクティングロッド長手方向孔（ボア））を介して、流体連通するように設けられた少なくとも１つのコネクティングロッド小端部ベアリング（Pleuelkopflager：コネクティングロッド頭部ベアリング）を有する。
【００２３】
少なくとも１つのコネクティングロッド小端部ベアリングは、好ましくは、滑り軸受として設計することができる。
【００２４】
少なくとも１つのコネクティングロッド小端部ベアリングは、内燃エンジンのピストンを、コネクティングロッド上に、例えばピストン・ピンを介して、回転可能に支持することができる。
【００２５】
別の実施形態において、その装置は、さらに、内燃エンジンのギア・トレインの歯車（Rads、wheel：ホイール）を回転可能に支持するための少なくとも１つのギア・トレイン・ベアリングを有し、特に、少なくとも１つのギア・トレイン・ベアリングは、潤滑流体分配チャネルおよび／または少なくとも１つの第１の流量制限装置の下流に流体連通するように設けられる。従って、その装置は、例えば、カムシャフト・ドライブのベアリング、ＰＴＯ（パワー・テイクオフ）のベアリング、高圧ポンプのベアリングおよびファン・ギアホイール（歯車）のベアリング、などのギア・トレイン（ベアリング）の複数の部品の（ギア）ホイールまたは歯車を潤滑するのにも、使用することができる。
【００２６】
別の例示的な実施形態において、その装置は、カムシャフトを回転可能に支持するための複数のカムシャフト・ベアリング、カムフォロワを回転可能に支持するための複数のカムフォロワ・ベアリング、内燃エンジンの複数のロッカ・アーム上の複数のボール・ジョイント（球継ぎ手）フット部（足状部）（Kugelfuesse、ball-joint feet）、および／または、少なくとも１つのコネクティングロッドに連結されたピストンである内燃エンジンの少なくとも１つのピストンに潤滑流体を噴射または噴霧するための少なくとも１つのピストン冷却ノズル、を有する。従って、その装置に供給される潤滑流体は、内燃エンジンの多数の部品を潤滑するのに使用することができる。
【００２７】
特に、内燃エンジンのシリンダ・ヘッドには、カムシャフト、複数のロッカ・アーム、複数のカムフォロワ、複数のカムフォロワ・ベアリング、および複数のボール・ジョイント・フット部が設けられている。
【００２８】
展開形態において、その装置は、複数のクランクシャフト・ベアリングの、複数のカムフォロワ・ベアリングの、および／または、複数のボール・ジョイント・フット部の、上流側に、流体連通するように設けられた、少なくとも１つの第２の流量制限装置、特にスロットルまたは制限器を有する。それによって、カムシャフト・ベアリング、カムフォロワ・ベアリングおよび／またはボール・ジョイント・フット部、への潤滑流体流量を低い値に設定することも可能である。これによって、設計の潤滑流体ポンプをより小型にし、および潤滑流体ポンプ用の駆動電力をより低くすることが、可能になる。
【００２９】
特に、少なくとも１つの第１の流量制限装置および少なくとも１つの第２の流量制限装置は、それぞれ供給される潤滑流体流を相異なる度合に低減することができる。それによって、流量制限装置の下流に設けられた各部品に所要の体積（量）の潤滑流体を選択的に設定することが可能である。その選択的な設定によって、必要となる潤滑流体の全体積量をさらに最適化することが可能になり、従ってその装置の潤滑流体ポンプをより小さい設計にすることができる。
【００３０】
１つの変形実施形態において、その装置は、さらに、少なくとも１つの第１の流量制限装置の上流に流体連通するように設けられた潤滑流体ポンプを有する。少なくとも１つの第２の流量制限装置、少なくとも１つのギア・トレイン・ベアリング、複数のカムシャフト・ベアリング、複数のカムフォロワ・ベアリング、複数のボール・ジョイント・フット部、および／または少なくとも１つのピストン冷却ノズルは、潤滑流体ポンプの下流に流体連通するように設けられることが、好ましい。
【００３１】
少なくとも１つの第１の流量制限装置および少なくとも１つの第２の流量制限装置は、その装置の潤滑流体ポンプの下流に流体連通するように設けることができることが、好ましい。一方で少なくとも１つの第１の流量制限装置に通じ、他方で少なくとも１つの第２の流量制限装置に通じる１つの分岐部が、潤滑流体ポンプの下流に設けられることが、好ましい。
【００３２】
その装置は、潤滑流体ポンプの下流に流体連通するように設けられた、特に、潤滑流体フィルタおよび／または潤滑流体冷却器を、さらに有することができる。
【００３３】
潤滑流体フィルタおよび潤滑流体冷却器は、直列に配置することができ、特に、潤滑されおよび／または冷却されるベアリング、ベアリング位置、等の上流に流体連通するように設けることが、可能である。
【００３４】
また、潤滑流体ポンプの下流側に、潤滑流体フィルタと潤滑流体冷却器が互いに並列になるように設けることも、可能である。潤滑流体ポンプの後、潤滑流体は、潤滑流体冷却器と潤滑流体フィルタの間に並列に分配配置することができる。潤滑流体フィルタの下流で、潤滑流体は、例えば、全ての潤滑点（ベアリング、ベアリング位置）に通すことができる。潤滑流体冷却器の下流で、潤滑流体は、例えばピストン冷却ノズルに（排他的に）通すことができる。
【００３５】
潤滑流体は、潤滑流体回路を形成するように、複数の潤滑点（ベアリング、ベアリング位置、等）の下流の潤滑流体ポンプに通すことができることが、好ましい。
【００３６】
好ましい例示的な実施形態において、少なくとも１つのコネクティングロッド大端部ベアリングおよび／または複数のクランクシャフト・ベアリングは滑り軸受として設計される。
【００３７】
別の態様によれば、本発明は、ここに開示される内燃エンジンを潤滑するための装置を有する自動車、特にユティリティ・ビークル（商用車）（例えば、バスまたは貨物自動車（Lastkraftwagen：トラック））に関する。
【００３８】
しかし、ここで開示されるような潤滑するための装置は、自動車には使用されない内燃エンジン、例えば、固定式（定置式）内燃エンジン、船舶、列車、等の内燃エンジンに使用することも可能である。
【００３９】
本発明の上述の好ましい実施形態および特徴は、任意の所望の形態で互いに組み合わせることができる。本発明の他の詳細および利点を、図面を参照して以下で説明する。
【図面の簡単な説明】
【００４０】
【図１】図１は、コネクティングロッドに連結されたクランクシャフトの概略図を示している。
【図２】図２は、カムシャフト、ロッカ・アームおよびエンジン・バルブを有するバルブ・トレインの概略図を示している。
【図３】図３は、内燃エンジンを潤滑するための装置の概略図を示している。
【発明を実施するための形態】
【００４１】
各図に示された実施形態は、互いに少なくとも部分的に対応し、従って、同様のまたは同じ部分には同じ参照符号を付して、それらを説明するために、繰り返しを避けるために他の実施形態または図の説明を参照する。
【００４２】
理解を向上させるために、図１および２を参照して、例示的な内燃エンジンの多数の構成要素または部品をまず説明する。これらの構成要素は、図３を参照してより詳細に説明するように設けられ、ここに開示される潤滑装置によって潤滑流体が供給される。
【００４３】
図１は、内燃エンジンのクランクシャフト１０およびコネクティングロッド１２を示している。内燃エンジンは、例えばバスまたは貨物自動車のような、ユティリティ・ビークル（商用車）に含まれるものであってもよい。
【００４４】
クランクシャフト１０は、ベアリング・ジャーナル１４および１６を交互に有する。クランクシャフト１０は、複数のベアリング・ジャーナル１４を介して、滑り軸受として設計された複数のクランクシャフト・ベアリングによって複数のベアリング・ブロックにおいて回転可能に支持される。複数のコネクティングロッド１２のコネクティングロッド大端部は、滑り軸受として設計された複数のコネクティングロッド大端部ベアリングにおけるベアリング・ジャーナル１６に回転可能に支持される。複数のコネクティングロッド１２は、複数のピストン１８を支持する。複数のピストン１８は、それぞれ内燃エンジンの動作期間中にシリンダ内で前後に移動する。
【００４５】
内燃エンジンの動作期間において、例えば、ベアリング・ジャーナル１４および１６における滑り軸受は、潤滑されなければならない。さらに、複数のシリンダ内で往復運動または前後に移動する複数のピストン１８は、潤滑されなければならない。
【００４６】
バルブ・トレイン（Ventiltrieb：弁機構、弁駆動装置）２０が図２に示されている。バルブ・トレイン２０は、カムシャフト２２、ロッカ・アーム２４、およびエンジン・バルブ２６、例えば入口弁または出口弁、を有する。内燃エンジンは、複数のシリンダおよび複数の入口および出口弁に対して、複数のバルブ・トレイン２０を有することができる。
【００４７】
ロッカ・アーム２４のカムフォロワ２８は、カムシャフト２２のカム３０のカム輪郭（contour）に追従する。カムフォロワ２８は、例えば、カムフォロワ・ピボットを中心に回転可能なローラとして設計することができる。ロッカ・アーム２４は、ロッカ・アーム・ピボット３２の周りに（を中心に）回転可能である。ロッカ・アーム２４は、カムフォロワ２８がカム３０のバルブリフト領域と接触すると、ボール・ジョイント・フット部（“象の足状部”）３４を介して、エンジン・バルブ２６を作動させる。
【００４８】
内燃エンジンの動作期間において、回転可能なカムフォロワ２８およびボール・ジョイント・フット部３４は、例えば、潤滑流体で潤滑されなければならない。潤滑流体は、例えば、ロッカ・アーム・ピボット３２およびロッカ・アーム２４内の潤滑流体チャネルを介して供給することができる。
【００４９】
図３は、内燃エンジンの複数の構成要素（部品）を潤滑するための装置３６を示している。装置３６は、潤滑流体ポンプ３８、潤滑流体冷却器４０、潤滑流体フィルタ（濾過器）４２、および潤滑される種々の領域４４、４６、４８および５０を有する。
【００５０】
潤滑流体ポンプ３８は、潤滑流体、例えば油（オイル）、を吸入する。潤滑流体ポンプ３８によって供給される潤滑流体流は、潤滑流体を冷却するために潤滑流体冷却器４０に通される。冷却された潤滑流体流は、潤滑流体フィルタ４２に通される。その冷却され濾過された潤滑流体流は、潤滑流体フィルタ４２の下流において、内燃エンジンの複数の構成要素（部品）を潤滑し冷却するのに利用可能である。
【００５１】
潤滑される領域４４、４６、４８および５０は、潤滑流体ポンプ３８、潤滑流体冷却器４０および潤滑流体フィルタ４２の下流に流体連通するように設けられる。
【００５２】
領域４４は、クランクシャフト・ベアリング５２、およびクランクシャフト１０（図１参照）におけるコネクティングロッド大端部ベアリング５４に関係する。潤滑流体分配チャネル５６は、複数の潤滑流体供給チャネル５８（図示の実施形態では６つ）相互間に受け入れられる（収容される）潤滑流体流を分配する。スロットルまたは制限器５７は、潤滑流体分配チャネル５６の上流に設けられる。
【００５３】
スロットル５７によって、潤滑される領域４４、４６への潤滑流体流を減少させることができる。減少された潤滑流体流によって、潤滑される他の領域４８、５０に、より多くの潤滑流体が利用可能になり、および／または、潤滑流体ポンプ３８をより小さくすることができ、従ってより安価にすることができる。スロットル５７に代えてまたは加えて、例えば各潤滑流体供給路５８に或るスロットルを設けることができる。
【００５４】
潤滑流体供給チャネル５８は、クランクシャフト１０が複数のベアリング・ジャーナル１４（図１参照）によって回転可能に支持されているクランクシャフト・ベアリング（主ベアリング）５２へと潤滑流体を搬送する。コネクティングロッド大端部ベアリング５４は、クランクシャフト・ベアリング５２の下流に流体連通するように設けられる。コネクティングロッド大端部ベアリング５４は、クランクシャフト１０のベアリング・ジャーナル１６上で回転可能にコネクティングロッド１２を支持する（図１参照）。
【００５５】
潤滑流体供給チャネル５８は、クランクシャフト１０用の複数のベアリング・ブロック内に少なくとも部分的に伸び（図１参照）、潤滑流体流（ストリーム）をクランクシャフト・ベアリング５２へと搬送する。潤滑流体流は、クランクシャフト・ベアリング５２におけるベアリング溝６０を介して、クランクシャフト潤滑流体チャネル６２に達する。特に、ベアリング溝６０は、クランク・ベアリング５２の上側ベアリング・シェルに配置することができる。複数のクランクシャフト・ベアリング流体チャネル６２は、潤滑流体流を複数のコネクティングロッド大端部ベアリング５４へと搬送する。複数のクランクシャフト潤滑流体チャネル６２は、それぞれ、複数のベアリング・ジャーナル１４の中の１つのジャーナルから複数のベアリング・ジャーナル１６の中の１つのジャーナルまで、クランクシャフト１０内で伸びることができる（図１参照）。
【００５６】
スロットル５７は、ベアリング５２、５４への潤滑流体流量を減少させる。減少した潤滑流体流量でも、コネクティングロッド大端部ベアリング５４を確実に充分に潤滑するために、潤滑流体の連続的な供給が可能となる形態で、コネクティングロッド大端部ベアリング５４への流体的な接続を設計することが必要になることがある。考察中の例示的な実施形態では、従って、クランクシャフト潤滑流体チャネル６２は、それぞれ、１つのベアリング・ジャーナル１４に２つの入口開口部を有する（図１参照）。その両入口開口部は、少なくとも１８０°にわたって伸びる複数のクランクシャフト・ベアリング５２のベアリング溝６０との組合せで、複数のクランクシャフト・ベアリング５２の複数のベアリング溝６０および複数のクランクシャフト潤滑流体チャネル６２を介して、潤滑流体供給チャネル５８とコネクティングロッド大端部ベアリング５４の間に実質的に連続的な流体連通が、クランクシャフト１０の回転位置に関係なく確保される形態で、配置される（図１も参照）。各潤滑流体流路６２用の２つの入口開口部を形成するための変形例、特に設計が簡単なその変形例が、ベアリング・ジャーナル１４に貫通孔を設けることによって（図１と同様）、利用可能になる。また、他の実施形態では、様々な設計または方法を使用して、複数の潤滑流体供給チャネル５８と複数のコネクティングロッド大端部ベアリング５４の間での実質的に連続的な流体連通を可能にすることもできる。
【００５７】
幾つかの例示的な実施形態において、例えば、図１および３に示された例では、複数のコネクティングロッド小端部ベアリング６５を、複数のコネクティングロッド大端部ベアリング５４の下流に流体連通するように追加的に設けることができる。その流体連通は、コネクティングロッド１８（１２）における、コネクティングロッド長手方向チャネル６３、例えば穿設されたコネクティングロッド長手方向チャネル、を介して、形成することができる。ピストン１８は、複数のコネクティングロッド小端部ベアリング６５を介して、ピストン・ピン（図示せず）によって、コネクティングロッド１２に回転可能に連結することができる。
【００５８】
スロットル５７および潤滑流体分配チャネル５６の下流において、潤滑される内燃エンジンのギア・トレイン（Raedertriebs、wheel train：ギア（歯車）機構、ホイール・トレイン）の複数の構成要素（部品）は、領域４６において共に概略的にグループ化されている。潤滑されるギア・トレイン４６の複数のギア・トレイン・ベアリング６４は、例えば、カムシャフト・ドライブ（駆動装置）のベアリング、ＰＴＯ（Nebenantriebs：パワー・テイクオフ）のベアリング、内燃エンジンの高圧ポンプのベアリング、およびファン・ギアホイール（Luefterzahnrads：ファン歯車）のベアリング、とすることができる。
【００５９】
潤滑され冷却される領域４８は、潤滑流体フィルタ４２、潤滑流体冷却器４０および潤滑流体ポンプ３８の下流に流体連通するように設けられる。潤滑され冷却される領域４８はピストン冷却ノズル６６を有する。ピストン冷却ノズル６６を介して、各シリンダ内のピストン１８の往復運動を潤滑しピストン１８を冷却するために、ピストン１８に下方から潤滑流体が噴射または噴霧される。追加的な冷却のために、複数のピストン１８に、ピストン冷却チャネル（図示せず）を設けることができる。複数のピストン冷却ノズル６６への潤滑流体流は、弁またはバルブ６８によって制御することができる。
【００６０】
潤滑される領域５０は、潤滑される内燃エンジンのシリンダ・ヘッドの複数の構成要素または部品に関係する。潤滑される領域５０は、潤滑流体フィルタ４２、潤滑流体冷却器４０および潤滑流体ポンプ３８の下流に流体連通するように設けられる。領域５０への潤滑流体流は、第２（別）のスロットルまたは制限器７０によって設定することができる。潤滑流体流が減少することによって、他の領域４４、４６、４８を潤滑するのにより多くの潤滑流体が利用可能になり、および／または、潤滑流体ポンプ３８をより小さくすることができ、従ってより安価にすることができる。
【００６１】
シリンダ・ヘッド内で、カムシャフト２２のカムシャフト・ベアリング７２に（図１参照）、潤滑流体が供給される。例えば、内燃エンジンの入口弁および出口弁用の共通のカムシャフトを設けることができる。しかし、入口弁および出口弁に別々のカムシャフトを設けることも可能である。
【００６２】
さらに、潤滑流体は、複数のロッカ・アーム２４に、例えばロッカ・アーム・ピボット３２を介して通される（図１（図２）参照）。潤滑流体は、複数のカムフォロワ２８の複数のベアリング７４を潤滑し、複数のロッカ・アーム２４の複数のボール・ジョイント・フット部３４を潤滑するのに使用することができる（同様に図１（図２）参照）。
【００６３】
装置３６は、内燃エンジンの複数の構成要素（部品）を潤滑するための他のベアリング位置７６を有することができる。例えば、ターボチャージャ（過給機）の回転軸のベアリングに潤滑流体を供給することができる。
【００６４】
本発明は、上述の好ましい例示的な実施形態に限定されない。それどころか、本発明の概念を同様に利用し、従って保護の範囲内に入る多数の変形例および変更が可能である。特に、本発明は、引用する請求項とは関係なく、従属請求項の構成および特徴の保護も請求する。特に、従属請求項の特徴は、独立請求項１における少なくとも１つの第１のスロットルの存在とは関係なく、開示されている。
【符号の説明】
【００６５】
１０  クランクシャフト
１２  コネクティングロッド
１４  ベアリング・ジャーナル
１６  ベアリング・ジャーナル
１８  ピストン
２０  バルブ・トレイン
２２  カムシャフト
２４  ロッカ・アーム
２６  エンジン・バルブ
２８  カムフォロワ
３０  カム
３２  ロッカ・アーム・ピボット
３４  ボール・ジョイント・フット部（ゾウの足状部）
３６  潤滑するための装置
３８  潤滑流体ポンプ
４０  潤滑流体冷却器
４２  潤滑流体フィルタ
４４  潤滑される領域（クランクシャフト・ベアリングおよびコネクティングロッド大端部ベアリング）
４６  潤滑される領域（ギア・トレイン）
４８  潤滑される領域（ピストン冷却ノズル）
５０  潤滑される領域（シリンダ・ヘッド）
５２  クランクシャフト・ベアリング（主ベアリング）
５４  コネクティングロッド大端部ベアリング
５６  潤滑流体分配チャネル
５７  第１のスロットルまたは制限器
５８  潤滑流体供給チャネル
６０  ベアリング溝
６２  クランクシャフト潤滑流体チャネル
６３  コネクティングロッド長手方向チャネル
６４  ギア・トレイン・ベアリング
６５  コネクティングロッド小端部ベアリング
６６  ピストン冷却ノズル
６８  弁
７０  第２のスロットルまたは制限器
７２  カムシャフト・ベアリング
７４  カムフォロワ・ベアリング
７６  ベアリング位置
【図１】
2019027597.tif 000003
【図２】
2019027597.tif 000004
【図３】
2019027597.tif 000005
【外国語明細書】
2019027597000001.pdf
2019027597000002.pdf
2019027597000003.pdf
2019027597000004.pdf